(57)【要約】【課題】脚周りからの体液漏れが無く、装着感が良好で見栄えの良いトランクス型紙おむつを提供する。【解決手段】トランクス型紙おむつ１００において、紙おむつ本体部２に、腹側部２１に位置し、幅方向の一端部から他端部に亘って配置された第一の腹側胴周り弾性伸縮部材２１１と、第一の腹側胴周り弾性伸縮部材２１１よりも脚周り部側に位置し、幅方向の一端部から他端部に亘って、一方の脚周り部から他方の脚周り部に亘って股下部２３中央側に凸となるように曲線状に湾曲して配置された第二の腹側胴周り弾性伸縮部材２１２と、腹側部２１側の脚周り部２４において、幅方向両端部が第二の腹側胴周り弾性伸縮部材２１２よりも腰周り開口部側に位置し、一方の脚周り部から他方の脚周り部に亘って、股下部２３中央側に凸となるように曲線状に湾曲して配置された腹側脚周り弾性伸縮部材２１３と、を配置する。【選択図】図１
2010082133.tif 000002
【特許請求の範囲】
【請求項１】
装着者の腹側に位置する腹側部と、装着者の背側に位置する背側部と、前記腹側部と前記背側部の間であって装着者の股下に位置する股下部と、前記腹側部と前記背側部の間であって前記股下部の幅方向両側部に装着者の脚周りに位置する二箇所の脚周り部とを形成するシート状の紙おむつ本体部と、吸収体を有し、前記紙おむつ本体部の前記股下部に取り付けられた吸収性本体部と、を備えるトランクス型紙おむつにおいて、
前記紙おむつ本体部は、
前記腹側部に位置し、幅方向の一端部から他端部に亘って配置された第一の腹側胴周り弾性伸縮部材と、
前記第一の腹側胴周り弾性伸縮部材よりも脚周り部側の前記腹側部に位置し、幅方向の一端部から他端部に亘って配置された第二の腹側胴周り弾性伸縮部材と、
前記腹側部側の脚周り部において、幅方向両端部が前記第二の腹側胴周り弾性伸縮部材よりも腰周り開口部側に位置し、一方の脚周り部から他方の脚周り部に亘って、前記股下部中央側に凸となるように曲線状に湾曲して配置された腹側脚周り弾性伸縮部材と、
を備え、
前記第二の腹側胴周り弾性伸縮部材は、一方の脚周り部から他方の脚周り部に亘って前記股下部中央側に凸となるように曲線状に湾曲して配置されていることを特徴とするトランクス型紙おむつ。
【請求項２】
前記腹側脚周り弾性伸縮部材は、前記脚周り部において前記第二の胴周り弾性伸縮部材と交差しないことを特徴とする請求項１に記載のトランクス型紙おむつ。
【請求項３】
前記腹側脚周り弾性伸縮部材における腰周り開口部寄りの頂点と股下部中央寄りの頂点との幅は、前記第二の腹側胴周り弾性伸縮部材における腰周り開口部寄りの頂点と股下部中央寄りの頂点との幅よりも大きいことを特徴とする請求項２に記載のトランクス型紙おむつ。
【請求項４】
前記第一の腹側胴周り弾性伸縮部材は、幅方向に沿うように直線状に配置され、
前記第一の腹側胴周り弾性伸縮部材と前記腹側脚周り弾性伸縮部材とが交差していることを特徴とする請求項１〜３の何れか一項に記載のトランクス型紙おむつ。
【請求項５】
前記背側部に位置し、幅方向の一端部から他端部に亘って配置された第一の背側胴周り弾性伸縮部材と、
前記第一の背側胴周り弾性伸縮部材よりも脚周り部側の前記背側部に位置し、幅方向の一端部から他端部に亘って配置された第二の背側胴周り弾性伸縮部材と、
前記背側部側の脚周り部において、幅方向両端部が前記第二の背側胴周り弾性伸縮部材よりも腰周り開口部側に位置し、一方の脚周り部から他方の脚周り部に亘って、前記股下部中央側に凸となるように曲線状に湾曲して配置された背側脚周り弾性伸縮部材と、
を備え、
前記第二の背側胴周り弾性伸縮部材は、一方の脚周り部から他方の脚周り部に亘って前記股下部中央側に凸となるように曲線状に湾曲して配置されていることを特徴とする請求項１〜４の何れか一項に記載のトランクス型紙おむつ。
【請求項６】
前記背側部に位置し、幅方向の一端部から他端部に亘って配置された第一の背側胴周り弾性伸縮部材と、
前記第一の背側胴周り弾性伸縮部材よりも脚周り部側の前記背側部に位置し、幅方向の一端部から他端部に亘って配置された第二の背側胴周り弾性伸縮部材と、
前記背側部側の脚周り部において、幅方向両端部が前記第二の背側胴周り弾性伸縮部材よりも腰周り開口部側に位置し、一方の脚周り部から他方の脚周り部に亘って、前記股下部中央側に凸となるように曲線状に湾曲して配置された背側脚周り弾性伸縮部材と、
を備え、
前記第二の背側胴周り弾性伸縮部材は、脚周り部において、幅方向に沿うように直線状に配置されるとともに、股下部中央領域において、股下部中央側に凸となるように曲線状に湾曲して配置されていることを特徴とする請求項１〜４の何れか一項に記載のトランクス型紙おむつ。
【請求項７】
前記腹側脚周り弾性伸縮部材及び前記背側脚周り弾性伸縮部材の応力は、前記第二の腹側胴周り弾性伸縮部材及び前記第二の背側胴周り弾性伸縮部材の応力よりも小さいことを特徴とする請求項５又は６に記載のトランクス型紙おむつ。
【発明の詳細な説明】
【技術分野】
【０００１】
本発明は、トランクス型紙おむつに関する。
【背景技術】
【０００２】
従来、パンツ型の紙おむつでは、体液の吸収を図る吸収体を、装着者の身体に良好に装着するため、その吸収体を保持する外装シートに対して弾性伸縮部材を配設し、身体へのフィット性を向上させている（例えば、特許文献１参照）。また、このような紙おむつとして、脚周りの被覆部分の多いトランクス型の紙おむつが知られている（例えば、特許文献２参照）。
【０００３】
図４は、従来型のトランクス型紙おむつの展開図である。図４に示すように、従来型のトランクス型紙おむつ３００では、複数の胴周り弾性伸縮部材３１１が、腹側部３１や背側部３２の全面に亘って、紙おむつ幅方向に沿って略直線状に配設されている。さらに、このような全面に配された胴周り弾性伸縮部材３１１に加え、脚周り部３４に沿って、脚周り弾性伸縮部材３１２が、股下部３３中央側に凸となるように曲線状に湾曲するように配設されている。そして、脚周り部３４の股間側において、紙おむつの全面に配された略直線状の胴周り弾性伸縮部材３１１と、脚周り部３４に配された曲線状の脚周り弾性伸縮部材３１２とが、互いに交差している。
【特許文献１】特開２００７−０８２８９０号公報
【特許文献２】特開２００７−１６７１６６号公報
【発明の開示】
【発明が解決しようとする課題】
【０００４】
しかしながら、上述したようなトランクス型紙おむつでは、脚周り部３４における胴周り弾性伸縮部材３１１による収縮力の方向（横方向）と脚周り弾性伸縮部材３１２による収縮力の方向（斜め方向）とが異なっており、胴周り弾性伸縮部材３１１による収縮力と脚周り弾性伸縮部材３１２による収縮力が作用する脚周り部３４において、方向の異なるこれらの収縮力がぶつかり合い、脚周り部３４の紙おむつ本体部の股間側端部Ｘが持ち上がってめくれてしまう。紙おむつ本体部の端部Ｘのめくれは、胴周り弾性伸縮部材３１１による収縮力の方向と脚周り弾性伸縮部材３１２による収縮力の方向とのなす角度が大きいほど大きなめくれとなる。このように、紙おむつ本体部の股間側端部Ｘが持ち上がってめくれてしまうと、装着者の脚周りに形成された隙間から、尿等の体液の漏れが生じてしまうという問題があった。特に、腹側部においては、装着時の見栄えが悪くなり、装着感も低下するという問題が、背側部に比べて顕著である。
【０００５】
本発明の課題は、脚周りからの体液漏れが無く、装着感が良好で見栄えの良いトランクス型紙おむつを提供することである。
【課題を解決するための手段】
【０００６】
上記課題を解決するため、請求項１に記載の発明は、装着者の腹側に位置する腹側部と、装着者の背側に位置する背側部と、前記腹側部と前記背側部の間であって装着者の股下に位置する股下部と、前記腹側部と前記背側部の間であって前記股下部の幅方向両側部に装着者の脚周りに位置する二箇所の脚周り部とを形成するシート状の紙おむつ本体部と、吸収体を有し、前記紙おむつ本体部の前記股下部に取り付けられた吸収性本体部と、を備えるトランクス型紙おむつにおいて、
前記紙おむつ本体部は、
前記腹側部に位置し、幅方向の一端部から他端部に亘って配置された第一の腹側胴周り弾性伸縮部材と、
前記第一の腹側胴周り弾性伸縮部材よりも脚周り部側の前記腹側部に位置し、幅方向の一端部から他端部に亘って配置された第二の腹側胴周り弾性伸縮部材と、
前記腹側部側の脚周り部において、幅方向両端部が前記第二の腹側胴周り弾性伸縮部材よりも腰周り開口部側に位置し、一方の脚周り部から他方の脚周り部に亘って、前記股下部中央側に凸となるように曲線状に湾曲して配置された腹側脚周り弾性伸縮部材と、
を備え、
前記第二の腹側胴周り弾性伸縮部材は、一方の脚周り部から他方の脚周り部に亘って前記股下部中央側に凸となるように曲線状に湾曲して配置されていることを特徴とする。
【０００７】
請求項２に記載の発明は、請求項１に記載のトランクス型紙おむつにおいて、前記腹側脚周り弾性伸縮部材は、前記脚周り部において前記第二の胴周り弾性伸縮部材と交差しないことを特徴とする。
【０００８】
請求項３に記載の発明は、請求項２に記載のトランクス型紙おむつにおいて、前記腹側脚周り弾性伸縮部材における腰周り開口部寄りの頂点と股下部中央寄りの頂点との幅は、前記第二の腹側胴周り弾性伸縮部材における腰周り開口部寄りの頂点と股下部中央寄りの頂点との幅よりも大きいことを特徴とする。
【０００９】
請求項４に記載の発明は、請求項１〜３の何れか一項に記載のトランクス型紙おむつにおいて、前記第一の腹側胴周り弾性伸縮部材は、幅方向に沿うように直線状に配置され、
前記第一の腹側胴周り弾性伸縮部材と前記腹側脚周り弾性伸縮部材とが交差していることを特徴とする。
【００１０】
請求項５に記載の発明は、請求項１〜４の何れか一項に記載のトランクス型紙おむつにおいて、前記背側部に位置し、幅方向の一端部から他端部に亘って配置された第一の背側胴周り弾性伸縮部材と、
前記第一の背側胴周り弾性伸縮部材よりも脚周り部側の前記背側部に位置し、幅方向の一端部から他端部に亘って配置された第二の背側胴周り弾性伸縮部材と、
前記背側部側の脚周り部において、幅方向両端部が前記第二の背側胴周り弾性伸縮部材よりも腰周り開口部側に位置し、一方の脚周り部から他方の脚周り部に亘って、前記股下部中央側に凸となるように曲線状に湾曲して配置された背側脚周り弾性伸縮部材と、
を備え、
前記第二の背側胴周り弾性伸縮部材は、一方の脚周り部から他方の脚周り部に亘って前記股下部中央側に凸となるように曲線状に湾曲して配置されていることを特徴とする。
【００１１】
請求項６に記載の発明は、請求項１〜４の何れか一項に記載のトランクス型紙おむつにおいて、前記背側部に位置し、幅方向の一端部から他端部に亘って配置された第一の背側胴周り弾性伸縮部材と、
前記第一の背側胴周り弾性伸縮部材よりも脚周り部側の前記背側部に位置し、幅方向の一端部から他端部に亘って配置された第二の背側胴周り弾性伸縮部材と、
前記背側部側の脚周り部において、幅方向両端部が前記第二の背側胴周り弾性伸縮部材よりも腰周り開口部側に位置し、一方の脚周り部から他方の脚周り部に亘って、前記股下部中央側に凸となるように曲線状に湾曲して配置された背側脚周り弾性伸縮部材と、
を備え、
前記第二の背側胴周り弾性伸縮部材は、脚周り部において、幅方向に沿うように直線状に配置されるとともに、股下部中央領域において、股下部中央側に凸となるように曲線状に湾曲して配置されていることを特徴とする。
【００１２】
請求項７に記載の発明は、請求項５又は６に記載のトランクス型紙おむつにおいて、前記腹側脚周り弾性伸縮部材及び前記背側脚周り弾性伸縮部材の応力は、前記第二の腹側胴周り弾性伸縮部材及び前記第二の背側胴周り弾性伸縮部材の応力よりも小さいことを特徴とする。
【発明の効果】
【００１３】
請求項１に記載の発明によれば、腹側部の脚周り部において、第二の腹側胴周り弾性伸縮部材が、一方の脚周り部から他方の脚周り部に亘って股下部中央側に凸となるように曲線状に湾曲して配置されることで、第二の腹側胴周り弾性伸縮部材の収縮方向と腹側脚周り弾性伸縮部材の収縮方向とのなす角度がより小さくなり、第二の腹側胴周り弾性伸縮部材による収縮力と腹側脚周り弾性伸縮部材による収縮力とが、より同じ向きに作用することとなる。これにより、第二の腹側胴周り弾性伸縮部材による収縮力と腹側脚周り弾性伸縮部材による収縮力とが作用する腹側部の脚周り部において、これらの収縮力がぶつかり合いによる紙おむつ本体部の股間側端部のめくれを緩和することができる。したがって、トランクス型紙おむつにおいて、体液漏れを防止して、装着感と見栄えを向上させることができる。
【００１４】
請求項２に記載の発明によれば、腹側部の脚周り部において、第二の腹側胴周り弾性伸縮部材が、一方の脚周り部から他方の脚周り部に亘って股下部中央側に凸となるように曲線状に湾曲して配置され、第二の腹側胴周り弾性伸縮部材と腹側脚周り弾性伸縮部材とが交差していないため、第二の腹側胴周り弾性伸縮部材による収縮力と腹側脚周り弾性伸縮部材による収縮力とが作用する腹側部の脚周り部において、これらの収縮力がぶつかり合うことが無くなる。そして、腹側部の脚周り部において、第二の腹側胴周り弾性伸縮部材と腹側脚周り弾性伸縮部材とによる収縮力が、共に、股下部中央側に向けて作用することとなり、腹側部における紙おむつ本体部の股間側端部のめくれを防止することができる。したがって、トランクス型紙おむつにおいて、体液漏れをより確実に防止し、装着感と見栄えを更に向上させることができる。
【００１５】
請求項３に記載の発明によれば、装着時に、胴周りを掴んでトランクス型紙おむつを引き上げる際に、腹側脚周り弾性伸縮部材の伸縮力が、トランクス型紙おむつを引き上げる方向に作用することとなる。したがって、脚周りにおけるフィット性のみならず、引き上げ易さを向上させることができ、より軽い力でもトランクス型紙おむつを引き上げることができる。よって、高齢者のように腕力が弱い着用者であっても、より容易にトランクス型紙おむつを装着することができる。
【００１６】
請求項４に記載の発明によれば、第一の腹側胴周り弾性伸縮部材と、腹側脚周り弾性伸縮部材とが交差することにより、装着時に、胴周りを掴んでトランクス型紙おむつを引き上げる際に、引き上げる際の作用力が第一の腹側胴周り弾性伸縮部材から腹側脚周り弾性伸縮部材に伝わり、第一の腹側胴周り弾性伸縮部材と連動して、腹側脚周り弾性伸縮部材も引っ張り上げられることとなる。したがって、より軽い力でもトランクス型紙おむつを引き上げることができ、トランクス型紙おむつの装着の更なる容易化を図ることができる。
【００１７】
請求項５に記載の発明によれば、背側部の脚周り部において、第二の背側胴周り弾性伸縮部材が、一方の脚周り部から他方の脚周り部に亘って股下部中央側に凸となるように曲線状に湾曲して配置されることで、第二の背側胴周り弾性伸縮部材の収縮方向と背側脚周り弾性伸縮部材の収縮方向とのなす角度がより小さくなり、第二の背側胴周り弾性伸縮部材による収縮力と背側脚周り弾性伸縮部材による収縮力とが、より同じ向きに作用することとなる。これにより、第二の背側胴周り弾性伸縮部材による収縮力と背側脚周り弾性伸縮部材による収縮力とが作用する背側部の脚周り部において、これらの収縮力がぶつかり合いによる紙おむつ本体部の股間側端部のめくれを緩和することができる。したがって、トランクス型紙おむつにおいて、腹側部のみならず、背側部における体液漏れを防止し、装着感と見栄えを更に向上させることができる。
【００１８】
請求項６に記載の発明によれば、着用時に、背側部の脚周り側を装着者の臀部の形状に沿って装着者の臀部により密着させることができ、背側部における体液漏れをより確実に防止することができる。
【００１９】
請求項７に記載の発明によれば、着用者が脚周りに腹側脚周り弾性伸縮部材及び背側脚周り弾性伸縮部材の締め付けによる痛みを感じることなく着用することができ、装着感とフィット性とに優れたトランクス型紙おむつとすることができる。
【発明を実施するための最良の形態】
【００２０】
以下に、本発明について、図面を用いて具体的な態様を説明する。ただし、発明の範囲は、図示例に限定されない。
【００２１】
［実施形態１］
以下に本発明を適用した実施形態１のトランクス型紙おむつについて、図１、図２を用いて説明する。なお、発明の範囲は図示例に限定されない。
図１は、本発明を適用した実施形態１のトランクス型紙おむつの展開図であって、図２は、図１のトランクス型紙おむつを組み立てた斜視図である。
【００２２】
図１に示すように、トランクス型紙おむつ１００は、吸収性本体部１と、当該吸収性本体部１が取り付けられる紙おむつ本体部２と、を備えて構成される。紙おむつ本体部２は、装着時に装着者の腹側に位置する腹側部２１と、装着者の背側に位置する背側部２２と、腹側部２１と背側部２２の間に位置し、装着者の股下に位置する股下部２３と、腹側部２１と背側部２２の間に位置するとともに股下部２３の幅方向両側部に設けられ、装着者の脚周りに位置する二箇所の脚周り部２４と、腹側部２１と背側部２２とからなり、装着者の腰周りに位置する腰周り部２５とを形成する。
【００２３】
吸収性本体部１は、吸収体１ａと、当該吸収体１ａを包装してなる透液性のトップシート１ｂと、等を備えて構成され、紙おむつ本体部２の腹側部２１から両脚の間の股下部２３を通り背側部２２に亘る位置に装着されている。
【００２４】
吸収体１ａは、例えば、綿やパルプ等の吸収性素材や、繊維或いはフィルム等のシート状基材と高吸収性ポリマーのような高吸水性樹脂とが組み合わされて形成された吸収体コア（図示略）が、透液性のクレープ紙（図示略）等により覆われて構成されている。吸収体１ａは、単層構造であっても良いし、複数層に分かれた構造でも構わない。
【００２５】
トップシート１ｂは、トランクス型紙おむつ１００を装着した際に人体に接する面に設けられ、体液を受けて、吸収体１ａまで輸送する役割を果たす、透液性のシートである。
透液性シートとしては、例えば、有孔または無孔の不織布や、多孔性プラスチックシートなどにより形成されるものが挙げられる。不織布を構成する素材繊維としては、天然繊維、化学繊維のいずれを用いてもよい。
天然繊維の例としては、綿、セルロース（木材パルプ）、羊毛、絹、麻等が挙げられる。
また、化学繊維の例としては、ポリエチレン（ＰＥ）やポリプロピレン（ＰＰ）等のオレフィン系、ポリエステル（ＰＥＴ）を含むポリエステル系、ナイロンやアラミド等のポリアミド系、ポリアクリロニトリル（ＰＡＮ）等のアクリル系といった合成繊維の他、レーヨンやキュプラ等の再生繊維、酢酸セルロースやプロミックス等の半合成繊維等を挙げることができる。また、ＰＥ／ＰＰ混合不織布、ＰＥ／ＰＥＴ混合不織布の他、上記素材を適宜組み合わせたバイコンポーネント繊維（混合繊維）等も用いることができる。
【００２６】
これらの繊維素材から不織布を製造する方法としては、公知の方法を適宜用いることができ、例えば、高圧水流で繊維同士を絡ませて接合させるウォーターパンチ法や、繊維を製紙と同様の方法で製造する抄紙法等の湿式法、接着剤で接合させるケミカルボンド法や、低融点ポリマー及び自己溶融繊維で接合させるサーマルボンド法等の乾式法、特殊針でニードリングして接合させるニードルパンチ法、ポリマー溶液を口金より噴出させ、網状フィブリルを形成させるフラッシュ紡糸法などの直接式法等の方法が挙げられる。また、これらの方法を組み合わせた方法等によっても不織布を製造することができる。
【００２７】
紙おむつ本体部２は、紙おむつ装着時に外側に接する面側に位置し、不透液性のバックシート３を構成する第一の外面シート３ａと、同じくバックシート３を構成し、紙おむつ装着時に人体に接する面側に位置する第二の外面シート３ｂと、を備えて構成され、第一の外面シート３ａと第二の外面シート３ｂの間に、例えば糸ゴム等の弾性伸縮部材が所定の位置に配設される。
【００２８】
第一の外面シート３ａ及び第二の外面シート３ｂを構成する不透液性シートとしては、例えば、ポリエチレン等の少なくとも遮水性を有するシート材であって、ムレ防止の観点から透湿性を有するシート材であることが好ましい。この遮水性と透湿性とを具備するシート材としては、例えば、ポリエチレンやポリプロピレン等のオレフィン系樹脂中に無機充填剤を溶融混練してシートを成形した後、一軸または二軸方向に延伸することにより得られる微多孔性シート材が好適に用いられる。
またその他にも、不透液性を有するフィルム層と、通気性を有する不織布層からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
【００２９】
紙おむつ本体部２の腹側部２１には、糸ゴム等の弾性伸縮部材が配される。
具体的には、腹側部２１の腰周り開口部２５ａ側に、幅方向の一端部２１ａから他端部２１ｂに亘って、第一の腹側胴周り弾性伸縮部材２１１が、幅方向に沿うように直線状に配される。また、第一の腹側胴周り弾性伸縮部材２１１よりも脚周り部２４側に、幅方向の一端部２１ａから他端部２１ｂに亘って、第二の腹側胴周り弾性伸縮部材２１２が配される。
これら第一の腹側胴周り弾性伸縮部材２１１と第二の腹側胴周り弾性伸縮部材２１２とは、紙おむつ本体部２の腹側部２１においてこのように配設されることで、トランクス型紙おむつ１００の腹側部２１を装着者の腹側に密着させるようになっている。
【００３０】
更に、腹側部２１における二箇所の脚周り部２４に、一方の脚周り部２４から他方の脚周り部２４に亘って、腹側脚周り弾性伸縮部材２１３が、股下部２３中央側に凸となるように曲線状に湾曲して配される。この腹側脚周り弾性伸縮部材２１３は、その幅方向両端部が、第二の腹側胴周り弾性伸縮部材２１２よりも腰周り開口部２５ａ側に位置している。具体的には、トランクス型紙おむつ１００の着用時に、腹側脚周り弾性伸縮部材２１３は装着者の鼠蹊部に位置し、第二の腹側胴周り弾性伸縮部材２１２は装着者の大腿部に位置することとなる。なお、「鼠蹊部」とは、装着者の下腹部のうち、脚に接する部分であって、具体的には大腿部の付け根部分（脚ぐり）を意味する。
【００３１】
上述の第二の腹側胴周り弾性伸縮部材２１２は、脚周り部２４において、腹側脚周り弾性伸縮部材２１３と交差しないように、一方の脚周り部２４から他方の脚周り部２４に亘って、股下部２３中央側に凸となるように曲線状に湾曲して配置されている。
そして、第二の腹側胴周り弾性伸縮部材２１２による収縮力と腹側脚周り弾性伸縮部材２１３による収縮力とが作用する腹側部２１の脚周り部２４において、これらの収縮力がぶつかり合わず、共に、股下部２３中央側に向けて作用することとなる。これにより、腹側部２１における紙おむつ本体部２の股間側端部Ｘのめくれを防止することができる。
【００３２】
また、腹側脚周り弾性伸縮部材２１３における腰周り開口部２５ａ寄りの頂点（図１のＡ点）と股下部２３中央寄りの頂点（図１のＢ点）との幅は、第二の腹側胴周り弾性伸縮部材２１２における腰周り開口部２５ａ寄りの頂点（図１のＣ点）と股下部２３中央寄りの頂点（図１のＢ点）との幅よりも大きい。すなわち、腹側脚周り弾性伸縮部材２１３の軌跡の幅の方が、第二の腹側胴周り弾性伸縮部材２１２の軌跡の幅よりも大きくなっている。これにより、装着時に、胴周り部２５を掴んでトランクス型紙おむつ１００を引き上げる際に、腹側脚周り弾性伸縮部材２１３の伸縮力が、トランクス型紙おむつ１００を引き上げる方向に作用することとなる。したがって、脚周りにおけるフィット性のみならず、引き上げ易さを向上させることができ、より軽い力でもトランクス型紙おむつ１００を引き上げることができる。よって、高齢者のように腕力が弱い着用者であっても、より容易にトランクス型紙おむつ１００を装着することができる。
【００３３】
また、腹側部２１の腰周り開口部２５ａ側の位置に直線状に配置された第一の腹側胴周り弾性伸縮部材２１１と、腹側脚周り弾性伸縮部材２１３とは、腹側部２１の腰周り開口部２５ａ側の幅方向両端部において交差している。したがって、装着時に胴周り部２５を掴んでトランクス型紙おむつ１００を引き上げる際に、引き上げる際の作用力が第一の腹側胴周り弾性伸縮部材２１１から腹側脚周り弾性伸縮部材２１３に伝わり、第一の腹側胴周り弾性伸縮部材２１１と連動して、腹側脚周り弾性伸縮部材２１３も引っ張り上げられることとなる。したがって、引き上げ易さが更に向上することとなり、装着が容易となる。
【００３４】
また、腹側部２１と同様に、紙おむつ本体部２の背側部２２にも糸ゴム等の弾性伸縮部材が配される。
具体的には、背側部２２の腰周り開口部２５ａ側に、幅方向の一端部２２ａから他端部２２ｂに亘って、第一の背側胴周り弾性伸縮部材２２１が、幅方向に沿うように直線状に配される。また、第一の背側胴周り弾性伸縮部材２２１よりも脚周り部２４側に、幅方向の一端部２２ａから他端部２２ｂに亘って、第二の背側胴周り弾性伸縮部材２２２が配される。
これら第一の背側胴周り弾性伸縮部材２２１と第二の背側胴周り弾性伸縮部材２２２とは、紙おむつ本体部２の背側部２２においてこのように配設されることで、トランクス型紙おむつ１００の背側部２２を装着者の背側に密着させるようになっている。
なお、第一の背側胴周り弾性伸縮部材２２１及び第二の背側胴周り弾性伸縮部材２２２の上下方向の配置間隔や、数、配置範囲は、適宜設定することができる。
【００３５】
更に、背側部２２における二箇所の脚周り部２４に、一方の脚周り部２４から他方の脚周り部２４に亘って、背側脚周り弾性伸縮部材２２３が、股下部２３中央側に凸となるように曲線状に湾曲して配される。この背側脚周り弾性伸縮部材２２３は、その幅方向両端部が、第二の背側胴周り弾性伸縮部材２２２よりも腰周り開口部２５ａ側に位置している。具体的には、背側脚周り弾性伸縮部材２２３は、トランクス型紙おむつ１００の着用時に装着者の鼠蹊部に位置し、第二の背側胴周り弾性伸縮部材２２２は、装着者の大腿部に位置することとなる。
【００３６】
上述の第二の背側胴周り弾性伸縮部材２２２は、脚周り部２４において、背側脚周り弾性伸縮部材２２３と交差しないように、一方の脚周り部２４から他方の脚周り部２４に亘って、股下部２３中央側に凸となるように曲線状に湾曲して配置されている。
そして、第二の背側胴周り弾性伸縮部材２２２による収縮力と背側脚周り弾性伸縮部材２２３による収縮力とが作用する背側部２２の脚周り部２４において、これらの収縮力がぶつかり合わず、共に、股下部２３中央側に向けて作用することとなる。これにより、背側部２２における紙おむつ本体部２の股間側端部Ｘのめくれを防止することができる。
【００３７】
また、背側脚周り弾性伸縮部材２２３における腰周り開口部２５ａ寄りの頂点（図１のＤ点）と股下部２３中央寄りの頂点（図１のＢ点）との幅は、第二の背側胴周り弾性伸縮部材２２２における腰周り開口部２５ａ寄りの頂点（図１のＥ点）と股下部２３中央寄りの頂点（図１のＢ点）との幅よりも大きい。すなわち、背側脚周り弾性伸縮部材２２３の軌跡の幅の方が、第二の背側胴周り弾性伸縮部材２２２の軌跡の幅よりも大きくなっている。これにより、装着時に、胴周り部２５を掴んでトランクス型紙おむつ１００を引き上げる際に、背側脚周り弾性伸縮部材２２３の伸縮力が、トランクス型紙おむつ１００を引き上げる方向に作用することとなる。したがって、脚周りにおけるフィット性のみならず、引き上げ易さを向上させることができ、より軽い力でもトランクス型紙おむつ１００を引き上げることができる。よって、高齢者のように腕力が弱い着用者であっても、より容易にトランクス型紙おむつ１００を装着することができる。
【００３８】
また、背側部２２の腰周り開口部２５ａ側の位置に直線状に配置された第一の背側胴周り弾性伸縮部材２２１と、背側脚周り弾性伸縮部材２２３とは、腹側部２１の腰周り開口部２５ａ側の幅方向両端部において交差している。したがって、装着時に、胴周り部２５を掴んでトランクス型紙おむつ１００を引き上げる際に、引き上げる際の作用力が第一の背側胴周り弾性伸縮部材２２１から背側脚周り弾性伸縮部材２２３に伝わり、第一の背側胴周り弾性伸縮部材２２１と連動して、背側脚周り弾性伸縮部材２２３も引っ張り上げられることとなる。したがって、引き上げ易さが更に向上することとなり、装着が容易となる。
【００３９】
また、腹側脚周り弾性伸縮部材２１３及び背側脚周り弾性伸縮部材２２３の応力は、第二の腹側胴周り弾性伸縮部材２１２及び第二の背側胴周り弾性伸縮部材２２２の応力よりも小さくなっている。ここで、弾性伸縮部材の締め付けによる痛みは、脚周りの方が、胴周りよりも強く感じる傾向がある。そのため、腹側脚周り弾性伸縮部材２１３及び背側脚周り弾性伸縮部材２２３の応力を、第二の腹側胴周り弾性伸縮部材２１２及び第二の背側胴周り弾性伸縮部材２２２の応力よりも小さくすることで、トランクス型紙おむつ１００の着用者が、脚周りに、腹側脚周り弾性伸縮部材２１３及び背側脚周り弾性伸縮部材２２３の締め付けによる痛みを感じずに着用することができることとなる。その一方で、弾性伸縮部材の締め付けによる痛みを感じにくい位置に配された第二の腹側胴周り弾性伸縮部材２１２及び第二の背側胴周り弾性伸縮部材２２２の応力は、腹側脚周り弾性伸縮部材２１３及び背側脚周り弾性伸縮部材２２３の応力よりも大きいままであるため、脚周りの締め付けを緩和して装着感を向上させても、フィット性を損なうことがなくなる。
【００４０】
また、第一の腹側胴周り弾性伸縮部材２１１、第二の腹側胴周り弾性伸縮部材２１２、腹側脚周り弾性伸縮部材２１３、第一の背側胴周り弾性伸縮部材２２１、第二の背側胴周り弾性伸縮部材２２２、背側脚周り弾性伸縮部材２２３は、吸収性本体部１の範囲において不連続となるよう切断されている。これにより、吸収性本体部１の縮こまりを防止することができる。
なお、弾性伸縮部材の不連続化は、例えば、各種弾性伸縮部材をバックシート３に配置した後、エンボスカッターロールとアンビルカッターロールとの間にそのバックシート３を通過させることにより、エンボスカッターロールによる加圧または加熱によって、所定範囲内に存在する弾性伸縮部材を細かく切断することにより行うことができる。
【００４１】
また、紙おむつ本体部２の腰周り開口部２５ａを形成する腰周り部２５には、腰周り弾性伸縮部材２５１が配設されている。腰周り部２５に腰周り弾性伸縮部材２５１が配設されていることにより、腰周り部２５でトランクス型紙おむつ１００を好適に装着者の腰周りに密着させることができる。
【００４２】
さらに、腹側脚周り弾性伸縮部材２１３と背側脚周り弾性伸縮部材２２３とは、股下部２３において交差しないように配されている。ここで、股下部２３において、腹側脚周り弾性伸縮部材２１３と背側脚周り弾性伸縮部材２２３とが交差している場合、股下部２３の吸収性本体部１が収縮してしまい、見栄えが悪くなるだけでなく、場合によっては、縒れや割れが発生し易くなってしまう。また、腹側脚周り弾性伸縮部材２１３と背側脚周り弾性伸縮部材２２３との交差部分が硬くなってしまい、歩行などの動きを妨げてしまう。これに対し、トランクス型紙おむつ１００では、腹側脚周り弾性伸縮部材２１３と背側脚周り弾性伸縮部材２２３とが股下部２３において交差しないように配されているため、股下部２３の吸収性本体部１が収縮することが無くなり、見栄えの良いものとすることができる。また、縒れや割れ、歩行の妨げを防止することができる。
【００４３】
なお、腹側部２１に配設された第一の腹側胴周り弾性伸縮部材２１１、第二の腹側胴周り弾性伸縮部材２１２、腹側脚周り弾性伸縮部材２１３と、背側部２２に配置された第一の背側胴周り弾性伸縮部材２２１、第二の背側胴周り弾性伸縮部材２２２、背側脚周り弾性伸縮部材２２３としては、３００〜１５００ｄｔｅｘの３〜５０本の合成色ゴムが好適である。
【００４４】
以上に説明したトランクス型紙おむつ１００によれば、腹側部２１の脚周り部２４において、第二の腹側胴周り弾性伸縮部材２１２が、腹側脚周り弾性伸縮部材２１３と交差しないように、一方の脚周り部２４から他方の脚周り部２４に亘って、股下部２３中央側に凸となるように曲線状に湾曲して配置されており、第二の腹側胴周り弾性伸縮部材２１２による収縮力と腹側脚周り弾性伸縮部材２１３による収縮力とが作用する腹側部２１の脚周り部２４において、これらの収縮力がぶつかり合うことが無くなり、共に、股下部２３中央側に向けて作用することとなる。これにより、腹側部２１における紙おむつ本体部２の股間側端部Ｘのめくれを防止することができ、体液漏れをより確実に防止し、装着感と見栄えを向上させることができる。
また、背側部２２の脚周り部２４において、第二の背側胴周り弾性伸縮部材２２２が、背側脚周り弾性伸縮部材２２３と交差しないように、一方の脚周り部２４から他方の脚周り部２４に亘って、股下部２３中央側に凸となるように曲線状に湾曲して配置されており、第二の背側胴周り弾性伸縮部材２２２による収縮力と背側脚周り弾性伸縮部材２２３による収縮力とが作用する背側部２２の脚周り部２４において、これらの収縮力がぶつかり合うことが無くなり、共に、股下部２３中央側に向けて作用することとなる。これにより、背側部２２における紙おむつ本体部２の股間側端部Ｘのめくれを防止することができ、腹側部２１のみならず、背側部２２における体液漏れをより確実に防止し、装着感と見栄えを更に向上させることができる。
【００４５】
〔実施形態２〕
次に、実施形態２のトランクス型紙おむつについて、図３を参照しながら説明する。
ここで、図３は、本発明を適用した実施形態２のトランクス型紙おむつの展開図である。
【００４６】
実施形態２のトランクス型紙おむつ２００は、実施形態１のトランクス型紙おむつ１００と、背側部２２における第二の背側胴周り弾性伸縮部材２２４の配置が異なり、その他の構成は実施形態１のトランクス型紙おむつ１００と略同様である。そのため、以下の説明では、実施形態１のトランクス型紙おむつ１００と同様の構成には同一の符号を付してその説明を省略し、異なる部分のみ説明する。
【００４７】
図３に示すように、トランクス型紙おむつ２００を構成する紙おむつ本体部２の背側部２２には、背側部２２の腰周り開口部２５ａ側に、幅方向の一端部２２ａから他端部２２ｂに亘って、第一の背側胴周り弾性伸縮部材２２１が、幅方向に沿うように直線状に配される。また、第一の背側胴周り弾性伸縮部材２２１よりも脚周り部２４側には、幅方向の一端部２２ａから他端部２２ｂに亘って、第二の背側胴周り弾性伸縮部材２２４が、配置されている。この第二の背側胴周り弾性伸縮部材２２４は、脚周り部２４において、幅方向に沿うように直線状に配置される。
これら第一の背側胴周り弾性伸縮部材２２１と第二の背側胴周り弾性伸縮部材２２４とは、紙おむつ本体部２の背側部２２においてこのように配設されることで、トランクス型紙おむつ２００の背側部２２を装着者の背側に密着させるようになっている。
【００４８】
更に、背側部２２における二箇所の脚周り部２４には、一方の脚周り部２４から他方の脚周り部２４に亘って、背側脚周り弾性伸縮部材２２４が、股下部２３中央側に凸となるように曲線状に湾曲して配される。この背側脚周り弾性伸縮部材２２３の幅方向両端部は、第二の背側胴周り弾性伸縮部材２２４よりも腰周り開口部２５ａ側に位置している。具体的には、背側脚周り弾性伸縮部材２２３は、トランクス型紙おむつ２００の着用時に装着者の鼠蹊部に位置し、第二の背側胴周り弾性伸縮部材２２４は、装着者の大腿部に位置することとなる。
【００４９】
そして、幅方向に沿うように直線状に配された第二の背側胴周り弾性伸縮部材２２４と、股下部２３中央側に凸となるように曲線状に湾曲して配された背側脚周り弾性伸縮部材２２３とは、脚周り部２４において交差している。
【００５０】
また、第二の背側胴周り弾性伸縮部材２２４は、上述したように、脚周り部２４において幅方向に沿うように直線状に配置される一方で、股下部２３中央領域において、股下部２３中央側に凸となるように湾曲している。そして、着用時に、第二の背側胴周り弾性伸縮部材２２４の湾曲頂点を中心に、股下部２３中央領域が内側に収縮し、装着者の臀部の形状に沿って、背側部２２の脚周り側を装着者の臀部に密着させるようになっている。
なお、第二の背側胴周り弾性伸縮部材２２４は、股下部２３中央領域において、図３のように曲線状に湾曲したものでなくとも良く、尖形状に屈曲していても良い。
【００５１】
以上説明したトランクス型紙おむつ２００によれば、着用時に、装着者の臀部の形状に沿って、背側部２２の脚周り側を装着者の臀部に密着させることができ、背側部２２における体液漏れをより確実に防止することができる。
【００５２】
なお、腹側部２１に配設された第一の腹側胴周り弾性伸縮部材２１１、第二の腹側胴周り弾性伸縮部材２１２、腹側脚周り弾性伸縮部材２１３と、背側部２２に配置された第一の背側胴周り弾性伸縮部材２２１、第二の背側胴周り弾性伸縮部材２２２、２２４、背側脚周り弾性伸縮部材２２３の数や、上下方向の配置間隔、配置範囲は、図示例に限られず、適宜設定することができる。また、これらの弾性伸縮部材の素材は、合成糸ゴムに限られず、その一部又は全部に天然糸ゴムを採用しても良い。
【００５３】
また、腹側部２１に配される弾性伸縮部材の色と、背側部２２に配される弾性伸縮部材の色とを異ならせることにより、トランクス型紙おむつ２００の前後を識別可能としても良い。例えば、背側部２２には白色の弾性伸縮部材を使用し、腹側部２１には白以外に着色された弾性伸縮部材や透明な弾性伸縮部材を使用しても良い。白以外に着色された弾性伸縮部材としては、例えば、青、緑、ピンク、オレンジ等の弾性伸縮部材を使用することができる。
また、弾性伸縮部材が目立たないように、透明な弾性伸縮部材を使用しても良い。逆に、脚周りに配設される腹側部２１や背側部２２における脚周り弾性伸縮部材のみ、白以外に着色された弾性伸縮部材を使用して、脚周り弾性伸縮部材の形状や機能を着用者に認識し易くすることで、体液漏れの起こりにくい印象を着用者に与え、着用者の安心感を高めるようにしても良い。
【００５４】
また、上記実施形態では、第二の腹側脚周り弾性伸縮部材２１２と腹側脚周り弾性伸縮部材２１３とが腹側部２１の脚周り部２４において交差しておらず、第二の背側胴周り弾性伸縮部材２２２と背側脚周り弾性伸縮部材２２３とが、背側部２２の脚周り部２４において交差していない場合について説明したが、第二の腹側脚周り弾性伸縮部材２１２と第二の背側胴周り弾性伸縮部材２２２は、股下部２３中央側に凸となるように曲線状に湾曲していればよく、腹側脚周り弾性伸縮部材２１３又は背側脚周り弾性伸縮部材２２３と交差してもよい。この場合でも、脚周り部２４におけるこれらの弾性伸縮部材による収縮力がより同じ方向に作用することとなり、紙おむつ本体部２の端部Ｘのめくれを緩和することができる。
【００５５】
また、その他、具体的な細部構造等についても適宜変更可能である。
【図面の簡単な説明】
【００５６】
【図１】本発明を適用した実施形態１のトランクス型紙おむつの展開図である。
【図２】図１のトランクス型紙おむつを組み立てた斜視図である。
【図３】本発明を適用した実施形態２のトランクス型紙おむつの展開図である。
【図４】従来のトランクス型紙おむつの展開図である。
【符号の説明】
【００５７】
１００  トランクス型紙おむつ
１      吸収性本体部
１ａ    吸収体
２      紙おむつ本体部
２１    腹側部
２１ａ  一端部
２１ｂ  他端部
２２    背側部
２２ａ  一端部
２２ｂ  他端部
２３    股下部
２４    脚周り部
２５ａ  腰周り開口部
２１１  第一の腹側胴周り弾性伸縮部材
２１２  第二の腹側胴周り弾性伸縮部材
２１３  腹側脚周り弾性伸縮部材
２２１  第一の背側胴周り弾性伸縮部材
２２２  第二の背側胴周り弾性伸縮部材
２２３  背側脚周り弾性伸縮部材
２００  トランクス型紙おむつ
２２４  第二の背側胴周り弾性伸縮部材
【図１】
2010082133.tif 000003
【図２】
2010082133.tif 000004
【図３】
2010082133.tif 000005
【図４】
2010082133.tif 000006